(57)【要約】      （修正有）【課題】医用画像を取得した後に追加撮影の指示を受けた場合に、追加撮影を指示された検査があることをユーザに知らせる医療情報システムを提供する。【解決手段】制御装置の通信部が外部の検像装置から、ある放射線画像についての再撮影を指示する情報を受信するステップＳ９０１と、制御装置がステップＳ９０１で受信した再撮影指示の情報に基づいて、再撮影を指示された放射線画像の撮影を含む検査の情報を、記憶部から検索するステップＳ９０２と、検査編集部が、前記検査に含まれる撮影についての追加撮影を指示する通知を通信部が外部の装置から受信した際に、検査の状態が完了状態である場合には、当該検査の状態を、未完了状態へと変更するステップＳ９０３と、撮影制御部がステップＳ９０１で受信した再撮影指示の情報に基づいて、新規に検査オーダを取得するステップＳ９０４を有する。【選択図】図９
2017099756.tif 000002
【特許請求の範囲】
【請求項１】
検査に含まれる撮影の実行を制御する制御装置であって、
前記検査に含まれる撮影についての追加撮影を指示する通知を外部の装置から受信する通信手段と、
前記通信手段により指示が受信された際に、前記検査の状態が、前記検査に含まれる医用画像の撮影が全て完了した完了状態である場合には、前記検査の状態を、前記検査に含まれる医用画像の撮影が完了していない未完了状態へと変更する変更手段と、
を有することを特徴とする制御装置。
【請求項２】
前記変更手段は、前記検査の状態を示す情報であって、前記検査に含まれる医用画像の撮影が全て完了した状態である完了状態を示す情報と、前記検査に含まれる医用画像の撮影が完了していない状態である未完了状態を示す情報と、のいずれかの情報を前記検査の情報に付与するように構成されていることを特徴とする請求項１に記載の制御装置。
【請求項３】
前記変更手段は、前記通信手段により前記検査に含まれる医用画像の再撮影を行う通知を受信した場合に、前記検査が未完了状態であることを示す情報を、前記検査の情報に付与するように構成されていることを特徴とする請求項２に記載の制御装置。
【請求項４】
前記変更手段は、前記通信手段により前記検査に含まれる医用画像の撮影を再度行う通知を受信した場合に、前記再撮影を行うための撮影条件を含む撮影プロトコル情報を前記検査の情報に付与するように構成されていることを特徴とする請求項１乃至３のいずれか１項に記載の制御装置。
【請求項５】
前記変更手段は、前記通信手段により前記検査に含まれる医用画像の撮影を再度行う通知を受信した場合に、該医用画像は撮影に失敗した写損画像であることを示す情報を前記検査の情報に付与することを特徴とする請求項１乃至４のいずれか１項に記載の制御装置。
【請求項６】
前記通信手段が前記検査に含まれる医用画像を特定する情報と、該医用画像は撮影に失敗した写損画像であることを示す情報を受信した場合に、該医用画像の撮影を再度行う通知を受信したと判別する判別手段をさらに有することを特徴とする請求項１乃至請求項５のいずれか一項に記載の制御装置。
【請求項７】
前記検査に含まれる医用画像を特定する情報とは、前記医用画像を一意に識別するための識別情報であることを特徴とする請求項４に記載の制御装置。
【請求項８】
前記変更手段は、前記通信手段により前記検査に含まれる医用画像が撮影に失敗した写損画像であると判定された理由を示す情報を受信した場合に、前記検査の情報に該医用画像の写損の理由を付与することを特徴とする請求項１乃至請求項５のいずれか一項に記載の制御装置。
【請求項９】
前記検査の情報を表示部に表示させる表示制御手段をさらに有することを特徴とする請求項１乃至請求項６のいずれか一項に記載の制御装置。
【請求項１０】
前記通信手段は前記制御装置に含まれる通信回路であり、
前記変更手段は前記制御装置に含まれる少なくとも１つのプロセッサにより実現されることを特徴とする請求項１乃至９のいずれか１項に記載の制御装置。
【請求項１１】
検査に含まれる撮影の実行を制御する制御装置であって、
前記検査に含まれる撮影についての追加撮影を指示する通知を外部の装置から受信する通信手段と、
前記通信手段により指示が受信された際に、前記検査の状態が、前記検査に含まれる医用画像の撮影が全て完了した完了状態である場合には、前記検査の状態を、前記検査に含まれる医用画像の撮影が完了していない未完了状態へと変更する変更手段と、
を有することを特徴とする制御システム。
【請求項１２】
検査に含まれる撮影の実行を制御するための制御方法であって、
前記検査に含まれる撮影についての追加撮影を指示する通知を外部の装置から受信するステップと、
前記通信手段により指示が受信された際に、前記検査の状態が、前記検査に含まれる医用画像の撮影が全て完了した完了状態である場合には、前記検査の状態を、前記検査に含まれる医用画像の撮影が完了していない未完了状態へと変更するステップと、
を有することを特徴とする制御方法。
【請求項１３】
請求項１２に記載の制御方法をコンピュータに実行させるためのプログラム。
【請求項１４】
コンピュータを、請求項１乃至請求項９のいずれか一項に記載の制御装置の各手段として機能させるためのプログラム。
【発明の詳細な説明】
【技術分野】
【０００１】
本発明は、制御装置、制御システム、制御方法、およびプログラムに関する。
【背景技術】
【０００２】
昨今、多様な医用画像が診療に活用され、医用画像を管理するための情報システムが構築されている。ユーザはこのような情報システムを活用し、たとえば、デジタルＸ線撮影装置を用いて放射線画像を取得した場合に、撮影が失敗であったか否かを判定し、失敗と判定した場合に再度放射線画像を撮影する指示を行うことができる。
【０００３】
特許文献１には、撮影が失敗であったと判定された画像の撮影条件を当該画像と関連付けて記憶しておき、当該画像の撮影を再度行う際に、記憶しておいた撮影条件を利用することが開示されている。
【先行技術文献】
【特許文献】
【０００４】
【特許文献１】特開２００２−１５９４８３号公報
【発明の概要】
【発明が解決しようとする課題】
【０００５】
ところで、ある検査についての追加の撮影の指示は、撮影装置を操作する技師に限らず、例えばかかる撮影装置で得られた医用画像を外部の装置で観察する医師等が行うことも考えられる。しかしながら特許文献１では、上述のように外部の装置から追加の撮影の指示があった場合に、かかる追加の撮影が指示された検査の状態を適切に管理することが考慮されていなかった。
【課題を解決するための手段】
【０００６】
本発明による制御装置は、医用画像を撮影するための検査の情報を送受信する通信手段と、前記検査の状態を示す情報であって、前記検査に含まれる医用画像の撮影が全て完了した状態である完了状態を示す情報と、前記検査に含まれる医用画像の撮影が完了していない状態である未完了状態を示す情報と、のいずれかの情報を前記検査の情報に付与する検査編集手段と、を有する制御装置であって、前記検査編集手段は、前記通信手段により前記検査に含まれる医用画像の再撮影を行う通知を受信した場合に、前記検査が未完了状態であることを示す情報を、前記検査の情報に付与するように構成されていることを特徴とする。
【発明の効果】
【０００７】
本発明によれば、医用画像を取得した後に再撮影の指示を受けた場合に、再撮影に関する検査が完了状態から未完了状態へと変更されるため、例えばユーザはかかる情報を参照してどの検査について撮影が必要かを知ることができる。したがって、再撮影に関する管理をより正確に行うことができる。
【図面の簡単な説明】
【０００８】
【図１】本発明の実施形態に係る情報システムを例示する図である。
【図２】本発明の実施形態に係る制御装置の機能構成を例示するブロック図である。
【図３】本発明の実施形態に係る検査オーダと撮影プロトコルのデータ構成を例示する図である。
【図４】本発明の実施形態に係る検査結果情報と撮影データのデータ構成を例示する図である。
【図５】本発明の実施形態に係る制御装置における検査オーダのデータを例示する図である。
【図６】本発明の実施形態に係る制御装置における撮影プロトコルのデータを例示する図である。
【図７】本発明の実施形態に係る制御装置における検査結果情報のデータを例示する図である。
【図８】本発明の実施形態に係る制御装置における撮影データを例示する図である。
【図９】本発明の第一の実施形態に係る処理を例示するフローチャートである。
【図１０】本発明の第一の実施形態に係る制御装置の表示部に表示される検査管理画面を例示する図である。
【図１１】本発明の第一の実施形態に係る制御装置の表示部に表示される検査管理画面を例示する図である。
【図１２】本発明の第一の実施形態に係る制御装置の表示部に表示される検査管理画面を例示する図である。
【図１３】本発明の第一の実施形態に係る制御装置の表示部に表示される検査管理画面を例示する図である。
【図１４】本発明の第二の実施形態に係る処理を例示するフローチャートである。
【図１５】本発明の第二の実施形態に係る制御装置の表示部に表示される検査管理画面を例示する図である。
【図１６】本発明の第二の実施形態に係る制御装置の表示部に表示される検査管理画面を例示する図である。
【図１７】本発明の実施形態に係る制御装置のハードウェア構成を例示する図である。
【図１８】本発明の実施形態に係る放射線画像の撮影と再撮影にかかる処理を例示するフローチャートである。
【図１９】本発明の実施形態に係る検像装置の表示部に表示される画面を例示する図である。
【図２０】本発明の第一の実施形態に係るデータ構成を例示する図である。
【図２１】本発明の第一の実施形態に係るデータ構成を例示する図である。
【発明を実施するための形態】
【０００９】
医療施設において、ネットワークを介して接続された情報システムが構築されている。例えば、医師はＸ線撮影が必要と判断すると、当該情報システムに含まれるＨＩＳ（Ｈｏｓｐｉｔａｌ  Ｉｎｆｏｒｍａｔｉｏｎ  Ｓｙｓｔｅｍ）端末やＲＩＳ（Ｒａｄｉｏｌｏｇｙ  Ｉｎｆｏｒｍａｔｉｏｎ  Ｓｙｓｔｅｍ）端末より検査指示を入力する。ＨＩＳは、患者情報や医用画像を撮影する検査等を含む診療情報を総合的に管理するシステムである。ＲＩＳは、放射線撮影のオーダを管理するシステムである。そして、検査指示の内容は当該情報システムを介して、依頼先の部門に伝達される。依頼先の部門とは、たとえば医用画像の一例である放射線画像の撮影を行う放射線部門である。
【００１０】
ＨＩＳやＲＩＳによって伝達された依頼情報は検査オーダと称される。検査オーダには依頼元の部門名や、検査項目、患者の個人データなどが含まれる。放射線部門において、放射線画像の撮影システムは検査オーダを受信し、検査に必要な撮影プロトコルを取得する。放射線画像の撮影を行う技師が、撮影システムに撮影プロトコルを入力してもよい。検査は、検査オーダに基づいて進行する。検査オーダには複数の撮影プロトコルを含むことがある。ここで撮影プロトコルとは、医師から要求された撮影部位や撮影方法、画像処理の情報等を含む。撮影により得られた画像は、たとえば検像装置（以下、検像装置と称する。）へ転送される。
【００１１】
検像装置は、転送されてきた撮影画像を画面に表示する。検像装置は、たとえばワークステーションである。技師や医師は、検像装置に表示された画像を見て、読影に適した品質であるかどうかを判断する。読影とは、医用画像を観察して、当該医用画像の被写体に対する診断を行うことである。撮影画像が読影に適した画像であると判断された場合、撮影画像はＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）に転送され、保存される。ＰＡＣＳは、放射線画像やその他の医用画像撮影装置で得られた画像を保持する医用画像管理システムである。一方、撮影画像が読影に適していない画像であると判断された場合、技師は再撮影を行う。このとき、撮影画像が撮影に失敗し読影に適さない（以下、写損と称する。）と判断された場合、写損画像と同じ撮影条件もしくは変更した撮影条件に基づいて再撮影を行う。たとえばＸ線画像の撮影において、写損と判断される場合には以下のような場合が挙げられる。まず、被写体に照射する線量が不足していたり（線量不足）、過剰であったり（線量過多）する場合がある。また、Ｘ線を照射する領域を定める絞りの設定が不適切（絞りミス）であった場合がある。さらに、撮影中に被写体が動いてしまった（患者動き）場合がある。その他、撮影する部位が誤っていたり（撮影部位違い）、異なる被写体を撮影してしまったり（患者違い）する場合がある。
【００１２】
本発明の実施形態にかかる制御装置は、検像装置といった外部端末から再撮影の指示を受けた際に、再撮影の準備作業を正確に行えるようにすることを目的とする。以下、本発明の実施形態について説明する。ここでは、医用画像の一例として、デジタルＸ線撮影により放射線画像を撮影する場合について説明する。医用画像はこれに限るものではなく、コンピュータ断層撮影、核磁気共鳴撮像、陽電子放射断層撮影といった手法により撮影される画像でもよい。
【００１３】
［第一の実施形態］
図１に基づいて、本発明の第一の実施形態にかかる制御装置を含む情報システムについて説明する。当該情報システムにおいては、たとえばネットワーク１０１により、制御装置１０２と、画像生成装置１０３と、ＲＩＳ１０４と、放射線発生装置１０５と、ＰＡＣＳ１０６と、検像装置１０７とが接続されている。制御装置１０２、画像生成装置１０３、放射線発生装置１０５が本発明の実施形態に係る医用画像撮影装置に対応している。画像生成装置１０３は、たとえばＦＰＤ（Ｆｌａｔ  Ｐａｎｅｌ  Ｄｅｔｅｃｔｏｒ）である。放射線発生装置１０５は、たとえばＸ線源（不図示）と、Ｘ線源にＸ線を発生させるための高圧発生装置（不図示）である。ＰＡＣＳ１０６は、医用画像及びかかる医用画像の撮影条件や患者情報等の付帯情報を記憶する記憶部（不図示）と、当該記憶部に記憶される情報を管理するコントローラ（不図示）とを有する。以下、詳述する。
【００１４】
制御装置１０２は、ＲＩＳ１０４から検査オーダを取得する。制御装置１０２は、ＲＩＳ１０４から取得した検査オーダに基づいて、撮影条件を読みだし、画像生成装置１０３を制御する。画像生成装置１０３の一例であるＦＰＤは、制御装置１０２から制御される撮影条件に基づいて、放射線を受信する準備を行う。
【００１５】
また、制御装置１０２は放射線発生装置１０５を制御する。放射線発生装置１０５は、制御装置１０２から制御される撮影条件に基づいて、Ｘ線源（不図示）にＸ線を発生させる準備を行う。放射線発生装置１０５の高圧発生装置（不図示）は、ユーザが曝射スイッチ（不図示）を押下するとＸ線源（不図示）に高圧パルスを与え、Ｘ線源（不図示）から被写体が配置されている領域にＸ線を曝射させる。被写体を透過もしくは被写体の周囲を通過したＸ線は、画像生成装置１０３の一例であるＦＰＤに入射する。
【００１６】
画像生成装置１０３は放射線発生装置１０５が発生させた放射線を基に放射線画像を生成し、制御装置１０２に生成した放射線画像を送信する。画像生成装置１０３は制御装置１０２に制御され、入射したＸ線を電気信号に変換した後、デジタル画像として制御装置１０２に送信する。たとえば、画像生成装置１０３の一例であるＦＰＤは入射したＸ線を蛍光体（不図示）が可視光に変換し、可視光をフォトダイオード（不図示）が検出し、Ａ／Ｄ変換器（不図示）により電気信号に変換する。あるいは、ＦＰＤはＸ線をアモルファスセレン（不図示）により電気信号に変換する。放射線画像の画素値はＦＰＤを構成する放射線検出素子（不図示）からの出力により得られる。放射線検出素子（不図示）は、例えば蛍光体（不図示）とフォトダイオード（不図示）で構成される。別の例では、アモルファスセレン（不図示）で構成される。
【００１７】
制御装置１０２は、撮影された放射線画像に、当該撮影の撮影条件や患者情報等を付帯させる。たとえばＤＩＣＯＭ（ＤｉｇｉｔａｌＩｍａｇｉｎｇ  ａｎｄ  Ｃｏｍｍｕｎｉｃａｔｉｏｎｓ  ｉｎ  Ｍｅｄｉｃｉｎｅ）規格に則って情報を付帯させ、放射線画像のデータ、患者情報、及び撮影条件等の情報を含むＤＩＣＯＭ画像ファイルを生成する。また、制御装置１０２は、撮影された放射線画像やＤＩＣＯＭ画像ファイルをＰＡＣＳ１０６に送信する。
【００１８】
当該情報システムに含まれる各装置はネットワーク１０１により相互に接続されていればよく、それぞれを遠隔に設置することもできる。
【００１９】
続いて、図１７に基づいて第一の実施形態に係る制御装置の構成を詳細に説明する。制御装置１０２は、たとえばコンピュータである。制御装置１０２は、主制御部であるＣＰＵ（Ｃｅｎｔｒａｌ  Ｐｒｏｃｅｓｓｉｎｇ  Ｕｎｉｔ）１７０１、記憶部であるＲＡＭ（Ｒａｎｄｏｍ  Ａｃｃｅｓｓ  Ｍｅｍｏｒｙ）１７０２、ＲＯＭ（Ｒｅａｄ  Ｏｎｌｙ  Ｍｅｍｏｒｙ）１７０５、ＳＳＤ（Ｓｏｌｉｄ  Ｓｔａｔｅ  Ｄｒｉｖｅ）１７０６、グラフィック制御部であるＧＰＵ（Ｇｒａｐｈｉｃｓ  Ｐｒｏｃｅｓｓｉｎｇ  Ｕｎｉｔ）１７０８、通信部であるＮＩＣ（Ｎｅｔｗｏｒｋ  Ｉｎｔｅｒｆａｃｅ  Ｃａｒｄ）１７０３及び１７０４、接続部であるＵＳＢ（Ｕｎｉｖｅｒｓａｌ  Ｓｅｒｉａｌ  Ｂｕｓ）１７０７、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）１７０９を有し、これらは内部バスにより通信可能に接続されている。ＣＰＵ１７０１は制御装置１０２及びこれに接続する各部を統合的に制御する制御回路である。ＲＡＭ１７０２は制御装置１０２を及びこれに接続する各部における処理を実行するためのプログラムや、画像処理で用いる各種パラメータを記憶するためのメモリである。ＲＡＭ１７０２は、ＣＰＵ１７０１が実行する制御プログラムを格納し、ＣＰＵ１７０１が各種制御を実行する際の様々なデータを一時的に格納する。ＲＯＭ１７０５は、ＣＰＵによる制御の手順を記憶させたプログラムやデータを格納する。通信回路である第一のＮＩＣ１７０３はたとえば放射線撮影を行う施設のアクセスポイントに接続し、第二のＮＩＣ１７０４は当該情報システム内の通信を中継するアクセスポイントに接続している。ＳＳＤ１７０６は上述したようなプログラムや、撮影により得られる放射線画像、付帯情報、その他各種パラメータが記憶される。ＵＳＢ１７０７は操作部２０５と接続している。ＧＰＵ１７０８は画像処理ユニットであり、ＣＰＵ１７０１からの制御に応じて画像処理を実行する。画像処理の結果得られる画像はＨＤＭＩ（登録商標）２０９を介して表示部２０４に出力され、表示される。表示部２０４及び操作部２０５はタッチパネルモニタとして統合されていても良い。
【００２０】
図２は、制御装置１０２の機能の一例を示すブロック図である。表示部２０４、操作部２０５は図１７に示したものと同じであるため、上述した説明を援用し、ここでは詳しい説明を省略する。制御装置１０２は、通信部２０１、制御部２０２、記憶部２０３を有する。通信部２０１は、制御部２０２からの制御により、制御装置１０２の外部の端末と情報を送受信する。さらに通信部２０１は、受信した情報に基づいて、制御部２０２に情報を出力する。通信部２０１は、外部の端末と情報を送受信するために、たとえばＮＩＣ１７０３、ＮＩＣ１７０４を有する。制御部２０２は、制御装置１０２を統合的に制御する。制御部２０２は、撮影制御部２０２１と、検査編集部（変更部）２０２２と、検査検索部２０２３と、表示制御部２０２４を有する。記憶部２０３は、制御部２０２からの制御により情報を記憶する。記憶部２０３は、情報を格納するために、たとえばＲＡＭ１７０２、ＲＯＭ１７０５、ＳＳＤ１７０６を有する。記憶部２０３は通信部２０１を介して外部の記憶装置（不図示）に情報を出力して記憶するようにしてもよい。制御部２０２は実施形態の１つではＣＰＵ１７０１である。より詳しくは、たとえばＲＡＭ１７０２、ＲＯＭ１７０５、ＳＳＤ１７０６に格納されているプログラムをＣＰＵ１７０１が実行することにより実施形態に係る制御部２０２が実現される。別の実施形態では、制御部２０２は、上述のＣＰＵ１７０１に加えて図示しないＦＰＧＡ等のハードウェア回路により実現される。例えば、制御部２０２は、撮影制御２０２１の機能を実現するＦＰＧＡを含む。この場合、このＦＰＧＡに対する入力、パラメータ設定、出力の受け取りの少なくともいずれかの処理はＣＰＵ１７０１により制御される。
【００２１】
なお、別の実施形態では、表示制御部２０２４は、ＣＰＵ１７０１及びＧＰＵ１７０８により実現される。この際にＣＰＵ１７０１はＧＰＵ１７０８に対して表示部２０４への所定の情報の表示を指示し、ＧＰＵ１７０８が表示部２０４に表示させるための表示データを生成及び当該表示データの表示部２０４への出力を行う。
【００２２】
上述のＮＩＣ１７０３、ＮＩＣ１７０４は通信部２０４に対応する。その他の実施形態では通信部２０４は単一のＮＩＣにより実現されてもよい。
【００２３】
別の実施形態では、ＣＰＵ１７０１は装置の中に複数含まれていてもよい。
【００２４】
以下、図２に示した各ブロックの機能と、放射線画像の撮影及び写損画像の再撮影にかかる処理を図１８、図１９に基づいて説明する。図１８に示すステップＳ１８０１乃至ステップＳ１８０３と、ステップＳ１８０８、ステップＳ１８０９は制御装置１０２が主体となる処理である。図１８に示すステップＳ１８０４乃至ステップＳ１８０７は、例えば検像装置１０７が主体となる処理である。図１９は検像装置１０７の表示部（不図示）に表示される画面の例である。
【００２５】
ステップＳ１８０１において、通信部２０１はＨＩＳ（不図示）又はＲＩＳ１０４から検査オーダを取得し、制御部２０２に入力する。撮影制御部２０２１は通信部２０１から入力された検査オーダに基づいて撮影プロトコルを取得する。撮影制御部２０２１は、操作部２０５を介してユーザが入力した撮影プロトコルを取得してもよい。制御部２０２は検査オーダを記憶部２０３に出力し、記憶部２０３は当該検査オーダを記憶する。
【００２６】
ステップＳ１８０２において、撮影制御部２０２１は検査オーダおよび撮影プロトコルに基づいて、通信部２０１を介して放射線画像の撮影を制御する。撮影制御部２０２１は、放射線発生装置１０５と画像生成装置１０３を制御して、放射線画像のデータを取得する。取得された放射線画像のデータは通信部２０１を介して制御装置１０２に入力される。制御部２０２は受信した放射線画像に画像処理を施して、表示部２０４に出力する。表示部２０４は制御部２０２から出力された放射線画像を表示する。制御部２０２はＤＩＣＯＭ規格に則って、検査オーダや撮影プロトコルに含まれる情報を放射線画像に付帯させる。
【００２７】
検査編集部（変更部）２０２２は、撮影プロトコルに基づいて撮影された放射線画像を制御装置１０２が受信した後、当該放射線画像を付帯した検査結果情報を記憶部２０３に通知する。
【００２８】
記憶部２０３は、検査結果情報を記憶する。検査結果情報については、後に図３乃至図８に基づいて詳述する。
【００２９】
また、制御装置１０２は放射線画像を一意に特定するための識別情報を取得する。放射線画像を一意に特定するための識別情報とは、たとえば放射線画像に対して一意に割り当てられた画像ＩＤである。画像ＩＤは、たとえば撮影プロトコルの取得時に当該撮影プロトコルにより撮影される画像のＩＤを制御部２０２で割り当てる。または、画像生成装置１０３が、撮影した画像のそれぞれに画像ＩＤを割り当て、放射線画像を制御装置１０２に送信する際に、画像ＩＤを当該放射線画像と対応付けて送信する。検査編集部（変更部）２０２２は、放射線画像の識別情報を、当該放射線画像の検査結果情報に付与する。識別情報は、それぞれの放射線画像のＤＩＣＯＭタグの中に保持されるようにしてもよい。
【００３０】
ステップＳ１８０３において、制御装置１０２は放射線画像を検像装置１０７に出力する。制御装置１０２は当該放射線画像を特定するための識別情報を対応付けて検像装置１０７に出力する。ここでは、当該放射線画像の識別情報や撮影プロトコルに関する情報を含む検査結果情報を検像装置１０７に出力することとする。
【００３１】
ステップＳ１８０４において、検像装置１０７は受信した放射線画像を、検像装置１０７の表示部（不図示）に表示させる。検像装置１０７の構成は、例えば図１７に示したものと同様の構成である。ユーザは検像装置１０７において放射線画像を観察し、画像処理を行うことができる。図１９（ａ）は検像装置１０７の表示部（不図示）に表示される画面の例である。図１９（ａ）では、制御装置１０２から受信した２枚の放射線画像である放射線画像１９０４と放射線画像１９０５が表示されている。サムネイル画像表示領域１９０１に、サムネイル画像１９０２とサムネイル画像１９０３が表示されている。サムネイル画像１９０２は放射線画像１９０４の縮小画像である。サムネイル画像１９０３は放射線画像１９０５の縮小画像である。領域１９０６は患者情報を表示する領域である。領域１９０７は表示されている放射線画像の撮影プロトコルを表示する領域である。領域１９０８は表示されている放射線画像がＤＩＣＯＭ形式のファイルであった場合に、ＤＩＣＯＭタグに記載されている内容を表示する領域である。画面効率のために、領域１９０６乃至領域１９０８は折りたたまれており、ユーザの操作入力により詳細な情報を表示することができる。アイコン１９０９は、選択した放射線画像をＰＡＣＳ１０６に転送することを指示する操作入力を行うためのアイコンである。アイコン１９１０は、選択した放射線画像の再撮影を指示する操作入力を行うためのアイコンである。アイコン１９１１は、検像を終了する操作入力を行うためのアイコンである。アイコン１９１１に操作入力を行い、検像を終了すると、表示されている放射線画像を全てＰＡＣＳ１０６に転送することとしてもよい。
【００３２】
ユーザが検像装置１０７に表示されている放射線画像は読影に適した画像であると判断した場合には、ステップＳ１８０５に進む。ユーザは、読影に適した画像をＰＡＣＳ１０６に転送する。たとえば、図１９（ａ）に示す放射線画像１９０４は読影に適しているとユーザが判断したとする。ユーザは放射線画像１９０４を選択し、アイコン１９０９に操作入力を行う。これにより、検像装置１０７は、ユーザが当該放射線画像を読影に適した画像であると判断したと判定する。検像装置１０７は、放射線画像１９０４を特定するための識別情報と、当該放射線画像が読影に適した画像であることを示す情報を制御装置１０２に送信する。具体的には、ステップＳ１８０５の処理により放射線画像１９０４の検査結果情報に付帯する撮影データの使用可否情報として、使用可の情報を設定する。そしてステップＳ１８０７に進み、検像装置１０７は当該検査結果情報を制御装置１０２に送信する。検査結果情報に付帯する撮影データについては、後に図３乃至図８に基づいて詳述する。
【００３３】
ユーザが検像装置１０７に表示されている放射線画像が撮影に失敗した写損画像であると判断した場合には、ステップＳ１８０６に進む。検像装置１０７は制御装置１０２に、当該放射線画像の再撮影を指示するための情報を送信する。たとえば、図１９（ａ）に示す放射線画像１９０５は読影に適さない、撮影に失敗した写損画像であるとユーザが判断したとする。ユーザが放射線画像１９０５を選択すると、たとえば図１９（ｂ）に示す枠１９１２が表示される。放射線画像１９０５を選択した状態でアイコン１９１０に操作入力を行うと、検像装置１０７は、放射線画像１９０５は写損画像であると判定する。このとき、検像装置１０７の表示部（不図示）の画面には、放射線画像１９０５が写損画像であると判断される理由を入力するための一覧１９１３が表示される。ユーザはたとえば写損理由として「患者動き」を選択する。写損理由が入力されると、検像装置１０７は制御装置１０２に放射線画像１９０５の再撮影を指示するための情報を送信する。検像装置１０７は、放射線画像１９０５を特定するための識別情報と、当該放射線画像が読影に適さない写損画像であることを示す情報を制御装置１０２に送信する。具体的には、ステップＳ１８０６の処理により、放射線画像１９０５の検査結果情報に付帯する撮影データの使用可否情報として、使用不可の情報を設定する。そして、ステップＳ１８０７に進み、検像装置１０７は当該検査結果情報を制御装置１０２に送信する。そして、ステップＳ１８０７に進む。
【００３４】
ステップＳ１８０４乃至ステップＳ１８０６における検像装置１０７の表示部（不図示）の画面の別の例を図１９（ｃ）に示す。アイコン１９１４は選択した放射線画像が写損画像であることを入力するためのアイコンである。写損理由をユーザが入力した後、領域１９１５に示すような、再撮影を行うか否かを入力させるための画面を表示させてもよい。また、検像装置１０７は、写損画像の再撮影を指示する情報と合わせて当該写損画像の写損の理由を制御装置１０２に送信してもよい。
【００３５】
ステップＳ１８０８において、制御装置１０２の通信部２０１は検像装置１０７から検査結果情報を受信する。すなわち、制御装置１０２は放射線画像を一意に特定するための識別情報と、当該放射線画像が撮影に失敗した写損画像であるか否かを示す情報を取得する。具体的には、検査結果情報に付帯されている撮影データの使用可否情報を取得する。使用可否情報が「使用不可」となっている場合にはステップＳ１８０９に進む。ステップＳ１８０９では、当該放射線画像の再撮影を行って放射線画像を新たに取得する。すなわち制御部２０２は、通信部２０１が放射線画像の識別情報と当該放射線画像が写損であることを示す情報を受信したことにより、当該放射線画像の再撮影を行う指示と判別する。通信部２０１は、放射線画像の識別情報と当該放射線画像が写損であることを示す情報を、再撮影の指示として制御部２０２に入力する。検査検索部２０２３は、写損画像であると通知された放射線画像の識別情報に基づいて当該写損画像の撮影を含む検査の情報を、記憶部２０３から検索する。記憶部２０３に当該写損画像の撮影を含む検査の情報が保存されていれば、検査編集部２０２２は、当該写損画像の撮影を含む検査の状態を未完了状態に設定する。すなわち、検査編集部２０２２は、当該写損画像の撮影を含む検査の情報に、当該検査が未完了状態であることを示す情報を付与する。検査編集部２０２２は、当該写損画像が使用不可であることを示す情報を、記憶部２０３に記憶されている検査の情報に付与する。また、撮影制御部２０２１は検査検索部２０２３による検索の結果に基づいて、再撮影の撮影プロトコルを取得する。撮影制御部２０２１は、再撮影の撮影プロトコルに基づいて、画像生成装置１０３と放射線発生装置１０５を制御して、再撮影を行う。再撮影の詳しい処理については後に図９乃至図１３に基づいて詳述する。再撮影を行い、放射線画像を取得すると、図１９に示したフローは終了する。
【００３６】
ステップＳ１８０８において、制御装置１０２が受信した検査結果情報に付帯されている撮影データの使用可否情報が「使用可」となっている場合には、図１９に示したフローは終了する。検査編集部２０２２は、当該放射線画像が使用可であることを示す情報を、記憶部２０３に記憶されている検査の情報に付与する。
【００３７】
次に、検査結果情報について図３乃至図８に基づいて説明する。
【００３８】
図３（Ａ）は、本発明の実施形態に係る検査オーダのデータ構成を例示する図である。図３（Ａ）に示す検査オーダ３０１は、患者情報３０１１と、撮影プロトコル３０１２を有する。患者情報３０１１は、たとえば患者名や患者ＩＤである。撮影プロトコル３０１２は、撮影を行うための情報である。一つの検査オーダに、複数の撮影プロトコルが含まれていても良い。図３（Ｂ）は、本発明の実施形態に係る撮影プロトコルのデータ構成を例示する図である。図３（Ａ）に示す検査オーダ３０１に含まれる撮影プロトコル３０１２は、図３（Ｂ）に示す撮影プロトコル３０２と同様のデータである。撮影プロトコル３０２は、撮影部位情報３０２１と、撮影実施情報３０２２を有する。撮影部位情報３０２１は、頭部や腹部、正面や側面といった撮影対象となる部位の情報である。撮影実施情報３０２２は、たとえば撮影に使用するＦＰＤや、放射線画像に対する画像処理のパラメータといった情報である。
【００３９】
図４（Ａ）は、本発明の実施形態に係る検査結果情報のデータ構成を例示する図である。図４（Ａ）に示す検査結果情報４０１は、一又は複数の撮影を含む検査を行った結果を示す情報である。検査結果情報４０１は、検査日４０１１、患者情報４０１２、検査実施状況４０１３、撮影データ４０１４、撮影プロトコル４０１５を有する。検査日４０１１は、検査を行った日の情報である。患者情報４０１２は、たとえば検査の対象である患者の名前や患者ＩＤといった情報である。検査実施状況４０１３は、当該検査に含まれる撮影を全て実施したか否かを示す情報である。撮影データ４０１４は後述する複数の撮影データ４０１４、撮影プロトコル３０２と同等の複数の撮影プロトコル４０１５で構成されている。撮影データ４０２は、撮影を行って得られる画像についての情報である。撮影プロトコル４０１５は、図３に示した撮影プロトコル３０１２及び撮影プロトコル３０２と同様のデータである。図４（Ｂ）は、本発明の実施形態に係る撮影データのデータ構成を例示する図である。図４（Ｂ）に示す撮影データ４０２は、患者情報４０２１、撮影プロトコル４０２２、放射線画像４０２３、撮影実施日４０２４、使用可否４０２５を有する。患者情報４０２１は、図４（Ａ）に示す患者情報４０１２と同等のデータである。撮影プロトコル４０２２は、図３及び図４（Ａ）に示した撮影プロトコルと同等のデータである。放射線画像４０２３は、撮影プロトコル４０２２に示される情報を基に撮影して得られる画像の情報である。撮影実施日４０２４は、撮影を行った日の情報である。使用可否４０２５は、撮影された放射線画像４０２３が読影に適した画像か否かを示す情報である。前述したように、読影に適した画像であれば「使用可」と設定される。また、前述したように、読影に適さない写損画像であれば「使用不可」と設定される。撮影プロトコル４０１５は、撮影プロトコル４０１５に示される情報を基に撮影が行われると、当該プロトコルと、撮影された放射線画像とを含む撮影データに置き換わる。
【００４０】
図５は、本発明の実施形態に係る制御装置における検査オーダのデータを例示する図である。通信部２０１が受信した検査オーダは、制御部２０２において図５に示すように管理される。制御装置１０２が取得した検査オーダは、患者ＩＤ５０１、患者氏名５０２、撮影プロトコルＩＤ５０３として管理される。患者ＩＤ５０１は、それぞれの検査オーダの検査の対象となる患者を識別するための患者識別情報を有する。患者氏名５０２は、それぞれの検査オーダの検査の対象となる患者の氏名を有する。撮影プロトコルＩＤ５０３は、それぞれの検査オーダに含まれる撮影プロトコルを示す情報である。撮影プロトコルＩＤについては図６に基づいて後述する。たとえば、図５に示す検査オーダ５０４は、検査の対象となる患者の患者ＩＤが１、患者氏名がＡＡＡであり、撮影プロトコルＩＤが１の撮影プロトコルで撮影する検査オーダであることを意味している。また検査オーダ５０５は、検査の対象となる患者の患者ＩＤが２、患者氏名がＢＢＢであり、撮影プロトコルＩＤが２と３の２つの撮影プロトコルでそれぞれ１回ずつ撮影する検査オーダであることを意味している。
【００４１】
図６は、本発明の実施形態に係る制御装置における撮影プロトコルのデータを例示する図である。制御部２０２が取得する撮影プロトコルは、図６に示すように管理される。制御部２０２が取得した撮影プロトコルは、撮影プロトコルＩＤ６０１、部位情報６０２、撮影実施情報６０３を有する。撮影プロトコルＩＤ６０１は、撮影プロトコルを識別するための撮影プロトコル識別情報である。部位情報６０２は、撮影する部位の情報である。撮影実施情報６０３は、当該撮影プロトコルにおいて使用するＦＰＤや取得された放射線画像に施す画像処理のパラメータといった情報である。たとえば、図６に示す撮影プロトコル６０４は、撮影プロトコルＩＤが１、撮影する部位が胸部正面、ＦＰＤ  Ａを使って撮影を行う、といった撮影プロトコルであることを意味している。撮影プロトコルＩＤは、ユーザが任意に設定した撮影プロトコルに対して任意に設定することができる。あるいは、制御部２０２において適宜撮影プロトコルＩＤを割り当てて管理してもよい。
【００４２】
図７は、本発明の実施形態に係る制御装置における検査結果情報のデータを例示する図である。制御部２０２は、検査結果情報を図７に示すように管理し、記憶部２０３に記憶させる。検査結果情報は、検査結果ＩＤ７０１、患者ＩＤ７０２、検査日７０３、検査実施状況７０４、撮影データＩＤ７０５、撮影プロトコルＩＤ７０６を有する。検査結果ＩＤ７０１は、検査結果を識別するための検査結果識別情報である。検査日７０３は、検査を実施した日の情報である。検査実施状況７０４は、当該検査に含まれる撮影プロトコルに基づく撮影を全て実施したか否かを示す情報である。撮影データＩＤは、撮影データを識別するための撮影データ識別情報である。撮影データＩＤについては、図８に基づいて後述する。撮影プロトコルＩＤ７０６に管理されているそれぞれの撮影プロトコルは、未撮影の撮影プロトコルである。たとえば、図７に示す検査結果情報７０７は、検査結果ＩＤが１、患者ＩＤが１、検査を実施した日が２０１４年１１月１１日であることを表す。検査結果情報７０７は、当該検査における撮影が全て完了している完了状態であることを表す。検査結果情報７０７は、取得された撮影データの撮影データＩＤは１、２であることを表す。また、図７に示す検査結果情報７０８は、検査結果ＩＤが２、患者ＩＤが２、検査を実施した日が２０１４年１１月１２日であることを表す。検査結果情報７０８は、当該検査における撮影が完了していない状態、すなわち未完了状態であることを表している。検査結果情報７０８は、撮影して得られた撮影データのＩＤは３であり、撮影プロトコルＩＤが１の撮影プロトコルは未撮影であることを表す。図７に示す検査結果情報７０９は、撮影を一度も行っていない検査を表す。検査結果情報７０９は、検査結果ＩＤが３、患者ＩＤが３であることを表す。検査結果情報７０９は、当該検査に含まれる撮影を行っていないため、検査を実施した日を示す情報を有さない。検査結果情報７０９は、検査実施状況が未完了状態であり、撮影プロトコルＩＤが３の撮影プロトコルが未撮影である事を表す。
【００４３】
図８は、本発明の実施形態に係る制御装置における撮影データを例示する図である。図８に示す撮影データ４０２は、撮影データＩＤ８０１と、患者ＩＤ８０２と、撮影プロトコルＩＤ８０３と、放射線画像８０４と、撮影実施日８０５と、使用可否８０６を有する。放射線画像８０４は、撮影プロトコルＩＤ８０３の撮影プロトコルで撮影した画像データである。撮影実施日は、放射線画像８０４の撮影を実施した日を示す情報である。使用可否８０６は、放射線画像８０４が読影に適した画像であるか否かを示す情報である。使用可否８０６は、放射線画像８０４が読影に適した画像である場合には「使用可」となる。また、使用可否８０６は、放射線画像８０４が読影に適さない、すなわち撮影に失敗した写損画像である場合には「使用不可」となる。撮影データは、たとえばＤＩＣＯＭファイルであり、それぞれの情報はＤＩＣＯＭタグとして保存されていてもよい。たとえば、図８に示す撮影データ８０７は、撮影データＩＤが１、患者ＩＤが１、撮影プロトコルＩＤが１の撮影プロトコルで撮影したことを表す。撮影データ８０７は、撮影して得られた放射線画像が画像データＡで、撮影を行った日が２０１４年１１月１１日であり、画像データＡで示される放射線画像は読影に適した画像であることを表す。また、図８に示す撮影データ８０８は、撮影データＩＤが１、患者ＩＤが１、撮影プロトコルＩＤが１の撮影プロトコルで撮影したものであることを表す。撮影データ８０８は、撮影して得られた放射線画像が画像データＢで、撮影を行った日が２０１４年１１月１２日であり、撮影に失敗した写損画像であることを表す。
【００４４】
次に、第一の実施形態における放射線画像の再撮影に係る処理を図９に基づいて説明する。図９は、第一の実施形態に係る処理を例示するフローチャートである。制御装置１０２が、ある放射線画像についての再撮影指示を受信した場合における再撮影について説明する。
【００４５】
ステップＳ９０１において、制御装置１０２は通信部２０１を介して外部の検像装置１０７から、ある放射線画像についての再撮影を指示する情報を受信する。通信部２０１は、放射線画像を特定するための識別情報と、当該放射線画像が写損画像であることを示す情報を受信すると、当該放射線画像についての再撮影指示であると判定する。再撮影指示に係る情報は、放射線画像を特定するための識別情報と、当該放射線画像が写損画像であることを示す情報を含んでいればよい。たとえば、使用可否の情報を付帯した検査結果情報や、撮影データである。第一の実施形態においては、検像装置１０７が制御装置１０２から受信した放射線画像について、使用可否の情報を付与した検査結果情報を制御装置１０２に出力する場合を例に説明する。検像装置１０７は、制御装置１０２から図２０（Ａ）に示すような検査データを受信し、撮影データ２００４及び撮影データ２００５に含まれる放射線画像を表示部（不図示）に表示させる。たとえば、撮影データ２００４に含まれる放射線画像が図１９に示される放射線画像１９０４である。たとえば、撮影データ２００５に含まれる放射線画像が図１９に示される放射線画像１９０５である、図２０（Ｂ）は、撮影データ２００５である。図１９（ｂ）に基づいて上述したように、ユーザが放射線画像１９０５は写損画像であると判断し、再撮影を指示したとする。検像装置１０７は、放射線画像１９０５を含む撮影データ２００５に使用可否の情報を付与する。図２１（Ｂ）に示すように、撮影データ２１００は、放射線画像１９０５を含む撮影データ２００５に、使用可否２１０１を付与したものである。検像装置１０７は、撮影データ２１００を有する検査結果情報２１０２を制御装置１０２に出力する。制御装置１０２は、使用可否のタグを空欄の状態として検像装置１０７に出力し、検像装置１０７は使用可否のタグに「使用可」または「使用不可」の情報を設定した後、制御装置１０２に出力するようにしてもよい。
【００４６】
ステップＳ９０２において、制御装置１０２はステップＳ９０１で受信した再撮影指示の情報に基づいて、再撮影を指示された放射線画像の撮影を含む検査の情報を、記憶部２０３から検索する。検査検索部２０２３は、受信した検査結果情報に基づいて、記憶部２０３に記憶されている検査結果情報を検索する。検索の結果、再撮影を指示された放射線画像についての検査の情報があればステップＳ９０３へ進み、なければステップＳ９０４に進む。検査検索部２０２３は、放射線画像を特定する識別情報に基づいて、当該放射線画像の撮影を有する検査の情報が記憶部２０３に記憶されているか検索する。ここでは、検査検索部２０２３は検像装置１０７から出力された検査結果情報２１０２に含まれる各種の情報をキーとして検索することができる。
【００４７】
ステップＳ９０３において、検査編集部（変更部）２０２２は、前記検査に含まれる撮影についての追加撮影を指示する通知を通信部２０４が外部の装置から受信した際に、検査の状態が完了状態である場合には、当該検査の状態を、未完了状態へと変更する。ここで完了状態とは、検査に含まれる医用画像の撮影が全て完了した状態であり、未完了状態とは、検査に含まれる医用画像の撮影が完了していない状態である。具体的な処理として例えば、検査編集部（変更部）２０２２はステップＳ９０２で検索して得られた検査の情報に、当該検査が未完了状態であることを示す情報を付与する。ここでは、検査検索部２０２３が検索した結果、再撮影が指示された放射線画像に関する検査結果情報があれば、当該検査結果情報の検査実施状況を未完了とする。また、検査編集部（変更部）２０２２は、検査検索部２０２３が検索して得た検査の情報に、さらに当該放射線画像の再撮影を行うための情報を付与してもよい。すなわち、再撮影を指示された写損画像の再撮影を行うための撮影プロトコルを、当該写損画像の撮影データを含む検査結果情報に追加する。さらに、検査編集部（変更部）２０２２は、再撮影を指示された写損画像の撮影データに使用不可の情報を付与する。検像装置１０７から写損の理由が出力された場合には、検査編集部（変更部）２０２２は当該写損画像の撮影データに写損の理由を示す情報を付与する。ＲＩＳ１０４やＰＡＣＳ１０６に、当該写損画像の撮影を含む検査が未完了であることを示す情報を出力するようにしてもよい。これにより、再撮影を指示された写損画像が、診断に利用されるのを防ぐことができる。
【００４８】
ステップＳ９０４において、撮影制御部２０２１はステップＳ９０１で受信した再撮影指示の情報に基づいて、新規に検査オーダを取得する。たとえば、撮影制御部２０２１は受信した検査結果情報に含まれる撮影プロトコルの情報に基づいて、検査オーダを取得することができる。
【００４９】
次に、第一の実施形態における再撮影の際に、制御装置１０２の表示部２０４に表示される画面を図１０乃至図１３に例示する。表示制御部２０２４は、表示部２０４に検査結果情報を表示させる。図１０は、再撮影指示の情報を受信する前に、表示部２０４に表示されている画面の例である。領域１００１は、検査結果情報を表示するための画面全体を示している。表１００１１は、検査オーダと検査結果情報を合わせた一覧表示である。表１００１２は、表１００１１に表示されている検査オーダや検査結果情報に付帯する撮影データと撮影プロトコルの一覧表示である。たとえば、図１０に示す画面には検査オーダ１００２と検査結果情報１００３が表示されている。表示制御部２０２４は、検査が実施された検査オーダについては、検査結果情報に置き換えて表示させることとする。検査オーダ１００２は、検査が未実施である。表１００１２に表示されている撮影データ１００４は、検査が実施されて表示された検査結果情報１００３に付帯する撮影データである。撮影データ１００４は、部位情報に示されるように、胸部正面の撮影プロトコルで撮影されたデータであることを示す。
【００５０】
図１１は、図９に示すステップＳ９０３において表示部２０４に表示されている画面を例示する図である。通信部２０１から再撮影を指示する情報が入力されると、検査検索部２０２３は記憶部２０３から対応する検査結果情報を検索する。たとえば、図１１に示す検査結果情報１１０１が検索の結果、再撮影の指示に対応する検査結果情報として検出されたとする。ステップＳ９０３において、再撮影の指示に対応する検査の情報に、当該検査が未完了状態であることを示す情報を、表示制御部２０２４は表示部２０４に表示させる。これにより、検査結果情報１１０１の検査実施の情報として「未」が表示される。検査が完了した検査結果情報の検査実施の情報としては「済」が表示される。検査実施の情報には、検査が完了していないものについては「未完了」、検査が完了したものについては「完了」と表示させてもよい。さらに、表示制御部２０２４は、表示部２０４の画面に表示される表１００１２に、再撮影のための撮影プロトコル１１０２を追加して表示させる。
【００５１】
制御装置１０２は、再撮影指示があった検査の情報を、再撮影指示のない検査の情報と区別して表示させてもよい。これにより、再撮影指示があった検査の情報をユーザは容易に知ることができる。たとえば、表示制御部２０２４は再撮影指示があった検査結果情報を、図１２の表１００１１に示す一覧の先頭に表示させる。あるいは、表示制御部２０２４は再撮影指示があった検査結果情報を、他の検査結果情報と異なる色で表示する。表示制御部２０２４は、表１００１１に示すような画面で検査結果情報を表示していた場合には、再撮影指示があった検査結果情報の文字の色や、表の背景色や、枠の色を、他の検査結果情報のものと異なる色で表示させる。
【００５２】
さらに、制御装置１０２は、写損画像と判断された放射線画像の撮影データについて、写損画像であることを示す情報を表示させてもよい。たとえば、再撮影指示において写損画像であることが示された撮影データ１００４は、図１２に示す撮影データ１２０１のように、表示制御部２０２４は表示部２０４の画面に撮影状況を「写損」と変更して表示させる。また、再撮影のために追加された撮影プロトコル１１０２と、写損画像を含む撮影データ１２０１の対応が分かるように、制御部２０２は撮影データ１２０１と撮影プロトコル１１０２を表１００１２中で並べて表示させてもよい。別の例では、表示制御部２０２４は、再撮影のための撮影プロトコルが追加されたことを示すダイアログを表示部２０４に表示させる。また別の例では、表示制御部２０２４は、追加された撮影プロトコルを点滅させたり、色を変えたりして他の撮影プロトコルや撮影データと区別させて表示部２０４に表示させる。これにより、ユーザは再撮影のための撮影プロトコルが追加されたことを容易に知ることができる。
【００５３】
図１３は、図１０の状態からステップＳ９０１、ステップＳ９０２を経て、ステップＳ９０４に進んだ場合に表示部２０４に表示される画面の例を示している。通信部２０１は、検像装置１０７から再撮影を指示する情報を受信したが、検査検索部２０２３の検索により再撮影指示に対応する検査結果情報が見つからなかった場合である。この場合、撮影制御部２０２１は新規検査オーダを作成し、表示制御部２０２４は図１３に示す表１００１１に検査オーダ１３０１を追加して表示部２０４に表示させる。また、表示制御部２０２４は、表１００１２に新規の検査オーダ１３０１に付帯する撮影プロトコル１３０２を追加して表示部２０４に表示させる。
【００５４】
［第二の実施形態］
次に、本発明の第二の実施形態にについて図１４に基づいて説明する。第二の実施形態においても、制御装置１０２は検像装置１０７から放射線画像を特定するための識別情報と、当該放射線画像が写損画像であることを示す情報とを受信することにより、再撮影を行う。第一の実施形態では、検像装置１０７から検査結果情報を受信した場合について説明したが、第二の実施形態では検像装置１０７から検査オーダを取得した場合について説明する。
【００５５】
ステップＳ１４０１において、制御装置１０２は通信部２０１を介して、検像装置１０７から検査オーダを取得する。
【００５６】
ステップＳ１４０２において、制御装置１０２はステップＳ１４０１で取得した検査オーダと対応する検査結果情報、検査オーダ、撮影オーダを、検査検索部２０２３により記憶部２０３から検索する。取得した検査オーダと対応する検索結果が得られれば、ステップＳ１４０３に進む。取得した検査オーダと対応する検索結果が得られなければ、図１４に示す処理を終了する。検査検索部２０２３は、ステップＳ１４０１で取得した検査オーダに含まれる各種の情報をキーとして検索を行う。検査検索部２０２３が検索する撮影オーダは、たとえばステップＳ９０４で取得した新規の検査オーダのうち、ステップＳ１４０１で取得した検査オーダに付帯する撮影プロトコルと対応するものを検索結果として検出してもよい。また、ステップＳ９０４で取得した検査オーダにより撮影された検査結果情報のうち、ステップＳ１４０１で取得した検査オーダに付帯する撮影プロトコルと対応するものを付帯する検査結果情報を、検索結果として検出してもよい。制御装置１０２は、検査検索部２０２３に対して、検索対象から除外する基準を設けてもよい。除外基準はユーザが任意に設定することができる。たとえば、ステップＳ１４０１で取得した検査オーダに付帯する撮影プロトコルと同じ条件で撮影を行う撮影プロトコルが記憶部２０３に記憶されていたとする。このとき、検査検索部２０２３は、除外基準として設定した期間より以前に撮影が行われた撮影プロトコル及び当該撮影プロトコルを含む情報は、検索結果として抽出しない。さらに、撮影プロトコルと同等の物を付帯する検査結果または検査オーダであっても、検査結果または検査オーダに付帯する撮影日や検査日が検査オーダを取得した日から任意の時間空いて居るなど、検索除外する基準を設けてもよい。
【００５７】
ステップＳ１４０３において、ステップＳ１４０２で検索した検査結果情報または検査オーダに対して、ステップＳ１４０１で取得した検査オーダの情報を反映する。例えば、取得した検査オーダに付帯する撮影プロトコルを、検索した検査結果情報または検査オーダに追加してもよい。また、取得した検査オーダに付帯する撮影プロトコルと、検索した検査オーダに付帯する撮影プロトコルが同等の場合は取得した検査オーダに付帯する撮影プロトコルを追加しなくても良い。さらに、また、取得した検査オーダに付帯する撮影プロトコルと、検索した検査結果情報に付帯する撮影データの撮影プロトコルが同等の場合は取得した検査オーダに付帯する撮影プロトコルを追加しなくても良い。ここでは撮影プロトコルのみ言及したがこれに限定する必要は無い。
【００５８】
ここで、第二の実施形態における処理において、制御装置１０２の表示部２０４に表示される画面を図１５、図１６に例示する。
【００５９】
図１５は、図１４に示す開始状態における制御装置１０２の表示部２０４の画面の例である。領域１５０１は、領域１００１と同様に、検査結果情報を表示するための画面全体を示している。表１５０１１は、表１００１１と同様に、検査オーダと検査結果情報を合わせた一覧表示である。表１５０１２は、表１００１２と同様に、表１５０１１に表示されている検査オーダや検査結果情報に付帯する撮影データと撮影プロトコルの一覧表示である。図１５に示す検査結果情報１５０２は、ステップＳ９０４において取得した撮影オーダに基づいて撮影を行った検査結果情報である。図１５に示す撮影データ１５０３は、検査結果情報１５０２に付帯する撮影データである。操作部２０５の一例であるマウスを介して、検査オーダ取得ボタン１５０１３に対する操作入力が行われると、通信部２０１を介して制御装置１０２はＲＩＳ１０４から検査オーダを取得する。
【００６０】
図１６は、図１５の状態からステップＳ１４０１、ステップＳ１４０２を経てステップＳ１４０３に進んだ際の、表示部２０４に表示される画面の一例である。ステップＳ１４０１において、ユーザが検査オーダ取得ボタン１５０１３に操作入力を行い、制御装置１０２はＲＩＳ１０４より検査オーダを取得する。ステップＳ１４０２において、検査検索部２０２３は、受信した検査オーダに対応する検査結果情報を記憶部２０３から検索し、対応する検査結果情報として図１５に示す検査結果情報１５０２を検出する。ステップＳ１４０３において、ステップＳ１４０２で検出した検査結果情報１５０２を、検査編集部２０２２は編集する。図１６に示す検査オーダ１６０１は、ステップＳ１４０２で受信した検査オーダと、患者情報ＩＤが同じ検査結果情報を統合したものである。具体的には、撮影制御部２０２１は、患者ＩＤが５、患者名がＥＥＥ、撮影プロトコルが腹部正面の検査オーダを取得する。検査検索部２０２３は、当該検査オーダの患者ＩＤをキーとして記憶部２０３を検索し、対応する検査結果情報１５０２を検出する。撮影制御部２０２１は、検査結果情報１５０２の検査日と撮影データを統合して、検査オーダ１６０１を取得する。図１６に示す検査オーダ１６０１は、図１５に示す検査結果情報１５０２の検査日と患者名を有し、かつ未撮影の撮影プロトコルが含まれることを示している。撮影プロトコル１６０２は、追加された未撮影の腹部正面の撮影プロトコルである。
【００６１】
以上のようにして、第二の実施形態にかかる制御装置１０２は、再撮影オーダの作成漏れが生じるのを低減することができる。これにより、再撮影をより正確に管理することができる。
【００６２】
本発明の実施形態には、以下のようにして装置、システム、制御方法を実現するような実施形態も含まれる。すなわち、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する形で実現するというものである。また、１以上の機能を実現する回路（例えば、ＡＳＩＣ）によっても実現可能である。
【００６３】
上述の各実施形態における制御装置は、単体の装置として実現してもよいし、複数の装置を互いに通信可能に組合せて上述の処理を実行する制御システムとしてもよく、いずれも本発明の実施形態に含まれる。共通のサーバ装置あるいはサーバ群で、上述の処理を実行することとしてもよい。情報処理装置および情報処理システムを構成する複数の装置は所定の通信レートで通信可能であればよく、また同一の施設内あるいは同一の国に存在することを要しない。
【００６４】
本発明の実施形態には、前述した実施形態の機能を実現するソフトウェアのプログラムを、システムあるいは装置に供給し、そのシステムあるいは装置のコンピュータが該供給されたプログラムのコードを読みだして実行するという形態を含む。
【００６５】
したがって、実施形態に係る処理をコンピュータで実現するために、該コンピュータにインストールされるプログラムコード自体も本発明の実施形態の一つである。また、コンピュータが読みだしたプログラムに含まれる指示に基づき、コンピュータで稼働しているＯＳなどが、実際の処理の一部又は全部を行い、その処理によっても前述した実施形態の機能が実現され得る。
【００６６】
上述の実施形態を適宜組み合わせた形態も、本発明の実施形態に含まれる。
【図１】
2017099756.tif 000003
【図２】
2017099756.tif 000004
【図３】
2017099756.tif 000005
【図４】
2017099756.tif 000006
【図５】
2017099756.tif 000007
【図６】
2017099756.tif 000008
【図７】
2017099756.tif 000009
【図８】
2017099756.tif 000010
【図９】
2017099756.tif 000011
【図１０】
2017099756.tif 000012
【図１１】
2017099756.tif 000013
【図１２】
2017099756.tif 000014
【図１３】
2017099756.tif 000015
【図１４】
2017099756.tif 000016
【図１５】
2017099756.tif 000017
【図１６】
2017099756.tif 000018
【図１７】
2017099756.tif 000019
【図１８】
2017099756.tif 000020
【図１９】
2017099756.tif 000021
【図２０】
2017099756.tif 000022
【図２１】
2017099756.tif 000023